(57)【特許請求の範囲】
【請求項１】
周壁部と底壁部とで構成されて、下部ケースに収容された有底円筒状の下インナーケースに羽根車が回転可能に収容支持され、当該下インナーケースの周壁部の下半部及び上半部に、それぞれ複数の流入及び流出の各ノズルが形成され、
前記周壁部のほぼ肉厚の間には、前記羽根車の接線方向に対して僅かに傾斜して複数のノズル形成体が周方向に沿って所定間隔をおいて上下方向に形成されて、隣接するノズル形成体の間には、前記底壁部の外周面の一部が露出され、
前記各流入ノズルは、隣接配置された２つの前記ノズル形成体と、前記周壁部の高さ方向の中間部に形成された上板部とにより、左右両面と上面との計３面により形成されて、下面が開口された形態であり、
前記流入ノズルの奥部の前記底壁部の露出により形成された面は、前記下部ケース及び下インナーケースの各底壁部の間を通って、当該流入ノズルの部分において上向きに流れる上向流の案内を行う上向流案内面として機能している複箱式水道メータであって、
前記上向流案内面は、その下端縁と下インナーケースの中心との長さが、その上端縁と下インナーケースの中心との長さよりも僅かに短いテーパー面に形成されていることを特徴とする複箱式水道メータ。
【請求項２】
テーパー面状の上向流案内面は、下部ケースのケース流入口から離れた側の１ないし複数の流入ノズルにのみ形成されていることを特徴とする請求項１に記載の複箱式水道メータ。
【請求項３】
テーパー面状の上向流案内面は、全ての流入ノズルに形成されていることを特徴とする請求項１に記載の複箱式水道メータ。
【請求項４】
テーパー面状の上向流案内面のテーパー角度は、下部ケースのケース流入口から最も離れた流入ノズルから、当該ケース流入口に近付くに従って、順次小さくなっていることを特徴とする請求項２又は３に記載の複箱式水道メータ。
【発明の詳細な説明】
【技術分野】
【０００１】
本発明は、下面が開口されて、上面と左右２面の計３面により流入ノズルが形成された下インナーケースを有する複箱式水道メータに関するものである。
【背景技術】
【０００２】
複箱式水道メータ（以下、単に「水道メータ」という）は、下部ケースの内部が隔壁により、上流側室と下流側室とに分離され、下インナーケースの下半部と上半部とには、それぞれ複数の流入ノズル及び流出ノズルが周方向に沿って所定間隔をおいて設けられ、当該下インナーケースの高さ方向の中央部が前記隔壁に支持されることで、流入ノズル及び流出ノズルがそれぞれ前記上流側室及び下流側室に配置され、上流側室において流入ノズルから下インナーケース内に流入した水流は、当該下インナーケース内に回転可能に支持されている羽根車を回転させた後に、流出ノズルから下流側室に流出されることで、前記羽根車の積算回転数により通過した水流の流量を計量する水道メータである。
【０００３】
上記構成の下インナーケースは、有底円筒状をなしていて、周壁部と底壁部とからなり、当該周壁部の下半部のほぼ肉厚に相当する部分には、当該周壁部の接線方向に対して僅かに傾斜した複数のノズル形成体が周方向に沿って所定間隔をおいて上下方向に形成されて、隣接するノズル形成体の間には、前記底壁部の外周面の一部が露出され、前記各流入ノズルは、隣接配置された２つの前記ノズル形成体と、前記周壁部の肉厚により形成された上板部とにより、上面と左右２面との計３面で形成されて、下面が開口された形状であり、前記流入ノズルの奥部に設けられたノズル開口は、前記周壁部における底壁部に接続する部分を開口することで形成されて、当該ノズル開口の直下の前記底壁部の露出により形成された部分は、前記下部ケースの底面から下インナーケース内に向けて上向きに流れる水流の流入案内を行う上向流案内面として機能している。
【０００４】
上記したように、下インナーケースの下半部に形成された流入ノズルとして、下面が開口されて、上面と左右２面の計３面により形成されるものは、特許文献１，２に開示されているように公知であって、羽根車の接線方向に対して僅かに傾斜した方向の本来の水流のみならず、下面開口から上方又は斜上方に向かう水流に関しても、前記上向流案内面に案内されて、流入ノズルの奥部から下インナーケース内に流入させられる利点を有する。
【０００５】
ここで、下部ケースのケース流入口から内部に流入した水流は、下インナーケースにおける当該ケース流入口に近い流入ノズルから、そのまま直接に内部に流入する「直接流」の割合が高く、下インナーケースにおける当該ケース流入口から遠い位置の流入ノズルには、下インナーケースの底壁部と下部ケースとの間の狭い空間を通った後に上方に向けて流れることで、前記「直接流」に係る水流に随伴されて下インナーケース内に流入する「上向流」の割合が高くなる。「直接流」の割合は、下インナーケースの複数の流入ノズルのうち下部ケースのケース流入口に近い位置に配置された流入ノズル程、高くなり、逆に、「上向流」の割合は、下インナーケースの複数の流入ノズルのうち下部ケースのケース流入口から遠い位置に配置された流入ノズル程、高くなる。
【０００６】
このため、「上向流」に係る水流は、流体抵抗により圧力が失われ、流入ノズルから下インナーケース内に流入する際の速度は、低下しているが、上記した底面が開口した流入ノズルを備えた下インナーケースの使用により、速度の低下した水流を流入し易くしている。
【０００７】
しかし、特許文献１，２に記載の上向流案内面は、それぞれ下インナーケースの周壁部の内周面に対してそれぞれ外側及び内側に形成されて、いずれも当該周壁部の内周面に平行に形成されているため、即ち、水流の方向に対して垂直に形成されているため、水流が下インナーケース内に流入する際の流体抵抗が大きくなって、速度の低下した水流のスムーズな流入を阻害していた。
【先行技術文献】
【特許文献】
【０００８】
【特許文献１】実公昭５４−１９１８０号公報
【特許文献２】実開昭５１−６４６７０号公報
【発明の概要】
【発明が解決しようとする課題】
【０００９】
本発明は、下面が開口されて、上面と左右２面の計３面により流入ノズルが形成された下インナーケースを有する複箱式水道メータにおいて、下部ケースのケース流入口から遠い位置に配置された流入ノズルから下インナーケース内に流入する速度の低下した水流の流体抵抗を小さくして、スムーズな流入を可能にすることを課題としている。
【課題を解決するための手段】
【００１０】
上記課題を解決するための請求項１の発明は、周壁部と底壁部とで構成されて、下部ケースに収容された有底円筒状の下インナーケースに羽根車が回転可能に収容支持され、当該下インナーケースの周壁部の下半部及び上半部に、それぞれ複数の流入及び流出の各ノズルが形成され、前記周壁部のほぼ肉厚の間には、前記羽根車の接線方向に対して僅かに傾斜して複数のノズル形成体が周方向に沿って所定間隔をおいて上下方向に形成されて、隣接するノズル形成体の間には、前記底壁部の外周面の一部が露出され、前記各流入ノズルは、隣接配置された２つの前記ノズル形成体と、前記周壁部の高さ方向の中間部に形成された上板部とにより、左右両面と上面との計３面により形成されて、下面が開口された形態であり、前記流入ノズルの奥部の前記底壁部の露出により形成された面は、前記下部ケース及び下インナーケースの各底壁部の間を通って、当該流入ノズルの部分において上向きに流れる上向流の案内を行う上向流案内面として機能している複箱式水道メータであって、前記上向流案内面は、その下端縁と下インナーケースの中心との長さが、その上端縁と下インナーケースの中心との長さよりも僅かに短いテーパー面に形成されていることを特徴としている。
【００１１】
下部ケースのケース流入口から上流側室に流入した水流は、下インナーケースに設けられた複数の流入ノズルから、当該下インナーケース内部に、羽根車の接線方向に対して僅かに傾斜した方向から流入して、羽根車に衝突することにより、当該羽根車を回転させた後に、ノズル流出口から下流側室に流出される。上流側室に流入した水流には、下インナーケースの周方向に沿って流れる水流（接線流）と、下インナーケースの底壁部と下部ケースとの間に入り込んだ水流（非接線流）とがあり、前者の接線流は、速度が大きいために、流入ノズルに直接に流入する割合が高く、後者の非接線流は、流体抵抗により速度が低下されていて、下インナーケースの底壁部から外部に流出しようとする際に、上向流案内面に案内されて上向流となって、下インナーケースの内部に流入する割合が多い。
【００１２】
請求項１の発明によれば、前記上向流案内面は、その下端縁と下インナーケースの中心との長さが、その上端縁と下インナーケースの中心との長さよりも僅かに短いテーパー面に形成されていて、このようなテーパー面に形成された上向流案内面は、下インナーケースの底壁部の底面との間では、鈍角を形成するために、下インナーケースの底壁部と下部ケースの底壁部との間から外部に流出しようとする低速度の水流は、流入ノズルに案内されて下インナーケースの内部に向けて流れる本来の水流（接線流）によって、流れる方向が上向きに変化させられ、上向流案内面を通って、流入ノズルにより案内されて下インナーケース内の計量室に流入しようとする本来の水流（接線流）に随伴されて、下インナーケースの内部に流入される。そして、上向流案内面は、下インナーケースの底壁部の底面との間では、鈍角を形成するために、上向流となって流れる際の流体抵抗が小さくなり、その結果、上記した低速度の上向流の流れがスムーズとなって、下インナーケースの内部に流入し易くなる。
【００１３】
請求項２の発明は、請求項１の発明において、テーパー面状の上向流案内面は、下部ケースのケース流入口から離れた側の１ないし複数の流入ノズルにのみ形成されていることを特徴としている。
【００１４】
下インナーケースの底壁部と下部ケースの底壁部との間に流入した低速度の水流が、上向流となって上向流案内面に案内されて下インナーケースの内部に流入する位置は、下インナーケースに設けられた複数の流入ノズルのうち、下部ケースのケース流入口から離れた側に位置する流入ノズルである。このため、請求項２の発明のように、下部ケースのケース流入口から離れた側の１ないし複数の流入ノズルのみにテーパー面状の上向流案内面を形成しておくと、下インナーケースの底壁部と下部ケースの底壁部との間に流入した低速度の水流を下インナーケース内に効果的に流入させることができる。
【００１５】
請求項３の発明は、請求項１の発明において、テーパー面状の上向流案内面は、全ての流入ノズルに形成されていることを特徴としている。
【００１６】
テーパー面状の上向流案内面が効果的に作用するのは、下インナーケースに設けられた複数の流入ノズルのうち、下部ケースのケース流入口から離れた側に位置する流入ノズルであり、請求項３の発明のように、全ての流入ノズルに対してテーパー面状の上向流案内面を設けることで、下インナーケースの底壁部と下部ケースとの間に流入した水流が、いずれかの流入ノズルから下インナーケース内に流入し易くなると共に、上向流案内面を含んだ全ての流入ノズルが同一形状であるために、成形金型の製作も容易となる。
【００１７】
請求項４の発明は、請求項２又は３の発明において、テーパー面状の上向流案内面のテーパー角度は、下部ケースのケース流入口から最も離れた流入ノズルから、当該ケース流入口に近付くに従って、順次小さくなっていることを特徴としている。
【００１８】
請求項４の発明によれば、下インナーケースの底壁部と下部ケースの底壁部との間に流入した水流（非接線流）は、当該ケース流入口から離れる程、流速が低下するのに対応して、下部ケースのケース流入口から離れている流入ノズル程、テーパー面状の上向流案内面の機能を効果的に発揮させられるので、上記した速度の低い水流（非接線流）を効果的に上向流に換えて、下インナーケースの内部に流入させられる。
【発明の効果】
【００１９】
本発明によれば、流入ノズルの奥部に形成された上向流案内面は、その下端縁と下インナーケースの中心との長さが、その上端縁と下インナーケースの中心との長さよりも僅かに短いテーパー面に形成されていて、このようなテーパー面に形成された上向流案内面は、下インナーケースの底壁部の底面との間では、鈍角を形成している。このため、下インナーケースの底壁部と下部ケースの底壁部との間から外部に流出しようとする低速度の水流（非接線流）は、流入ノズルに案内されて下インナーケースの内部に向けて流れる本来の水流（接線流）に随伴されることで、流れる方向が上向きに変化させられ、上向流案内面を通って、流入ノズルにより案内された本来の水流（接線流）と一緒になって、下インナーケースの内部に流入される。そして、上向流案内面は、下インナーケースの底壁部の底面との間では、鈍角を形成するために、上記した低速度の上向流の流れがスムーズとなって、下インナーケースの内部に流入し易くなる。
【図面の簡単な説明】
【００２０】
【図１】本発明に係る水道メータの縦断面図である。
【図２】（ａ），（ｂ）は、それぞれ実施例１の下インナーケースＫ1 を異なる方向から見た斜視図である。
【図３】下インナーケースＫ1 及び上インナーケースＫ2 の斜視図である。
【図４】下インナーケースＫ1 の底面図である。
【図５】図４のＸ−Ｘ線断面図である。
【図６】図４のＹ−Ｙ線部分断面図である。
【図７】本発明の実施例２の下インナーケースＫ1'の底面図である。
【図８】流入ノズルＮ1'の部分拡大縦断面図である。
【発明を実施するための形態】
【００２１】
以下、本発明の複数の実施例を挙げて、本発明について更に詳細に説明する。
【実施例１】
【００２２】
最初に、図１〜図５を参照して、複箱式の水道メータの基本構成について説明し、その後に、本発明に係る下インナーケースＫ1 の特徴部について説明する。なお、本発明は、下インナーケースＫ1 の流入ノズルＮ1 の部分に特徴を有するので、下部ケース１のケース流入口２から内部に流入した水流が、下インナーケースＫ1 の流入ノズルＮ1 を通って、下インナーケースＫ1 の内部の計量室Ｒにおいて、羽根車１２を回転させた後に、流出ノズルＮ2 を通って排出されることで、積算流量を計量する部分までの説明を行い、羽根車１２の積算回転数が表示ユニット（図示せず）に表示される構成は、本発明には、直接には関連しないので、この部分の説明は省略する。
【００２３】
図１において、下部ケース１は、ケース流入口２及びケース流出口３を備えていて、内部は、隔壁４によって、上流側室５と下流側室６とに分離形成され、当該隔壁４に形成された円形の挿入開口７に下インナーケースＫ1 の略下半部が挿入された状態で、当該下インナーケースＫ1 の外周の支持段部８が、前記隔壁４の上面における前記挿入開口７に臨む部分に支持されることで、当該下インナーケースＫ1 は、上流側室５及び下流側室６との双方に亘って収容配置される。下インナーケースＫ1 の上側には、積算表示ユニット（図示せず）が内装された上インナーケース（「レジスターボックス」とも称される）Ｋ2 が配置されることで、下インナーケースＫ1 の上面開口が閉塞される。また、下部ケース１における下流側室６よりも上方の部分は、環状に形成された上方突出部１ａとなっていて、当該上方突出部１ａに上部ケース９が螺合され、当該上部ケース９の開口は、当該上部ケース９にヒンジ連結により回動可能に連結された蓋体１１により閉塞される。下インナーケースＫ1 の内部は、計量室Ｒとなっていて、当該計量室Ｒには、羽根車１２がピボット軸１３を介して回転可能に配置される。ピボット軸１３は、下インナーケースＫ1 の底壁部１８の中心部の軸支持部１４に支持される。
【００２４】
下インナーケースＫ1 は、図２〜図６に示されるように、概略形状が有底円筒状であって、周壁部１５と底壁部１６とを備えていて、当該周壁部１５の略下半部における当該周壁部１５の肉厚に相当する部分には、周方向に沿って一定間隔をおいて複数（実施例では８個）の流入ノズルＮ1 が形成され、当該周壁部１５の略上半部には、周方向に沿って一定間隔をおいて複数（実施例では３個）の流出ノズルＮ2 が内外に連通して形成されている。なお、流出ノズルＮ2 は、下インナーケースＫ1 の単体状態では、上方に開口しているが、この上方への開口部は、上インナーケースＫ2 の周壁部３１の外周面に軸心方向に沿って設けられた第２リブ３３の下方突出部３３ａが嵌合されることで、閉塞される。
【００２５】
流入ノズルＮ1 は、板羽根状をした複数のノズル形成体１７が、周壁部１５の接線方向に対して僅かに傾斜した方向に沿って、当該周壁部１５と底壁部１６とを連結するような形態で設けられている。図５及び図６に示されるように、底壁部１６の外径は、周壁部１５の内径に対応している。ノズル形成体１７は、底壁部１６の外周面と、周壁部１５の上半部の下端部とを連結していて、流入ノズルＮ1 は、隣接する２枚のノズル形成体１７の対向面（左右の側面）１９，１９と、周壁部１５の高さ方向の中間部に設けられた上板部１８の下面における隣接する２つのノズル形成体１７の間の上面２１との計３面で形成されて、下面は開口されている。流入ノズルＮ1 の奥部には、底壁部１６の外周面が露出されており、当該露出面は、下インナーケースＫ1 の底壁部１６と下部ケース１の底壁部１ｃとの間に流入した水流が上向きに流れて、当該上向流を計量室Ｒ内に流入案内する機能を有する上向流案内面Ｆｐ，Ｆｔ（図２〜図５参照）となっていて、当該上向流案内面Ｆｐ，Ｆｔの直上には、周壁部１５の下半部に複数のノズル形成体１７を設けることで、内周側のみに残存した薄肉の肉厚部を方形に開口することで形成されたノズル開口２２が設けられている。
【００２６】
実施例１においては、図４〜図６に示されるように、複数の上向流案内面Ｆｐ，Ｆｔは、いずれも下インナーケースＫ1 の周壁部１５の内周面１５ａよりも、寸法（Ｅ1)だけ当該下インナーケースＫ1 の中心側に配置されている。また、複数の上向流案内面Ｆｐのうち、下部ケース１のケース流入口２から最も離れた位置に配置される特定の一つの上向流案内面Ｆｔのみは、以下のテーパー面となっている。即ち、当該上向流案内面Ｆｔの下端縁と下インナーケースＫ1 の中心（Ｃ）とを結ぶ長さ（Ｌ1)が、当該上向流案内面Ｆｔの上端縁と下インナーケー  スＫ1 の中心（Ｃ）とを結ぶ長さ（Ｌ2)よりも僅かに短い（Ｌ1 ＜Ｌ2)傾斜角（θ）のテーパー面に形成されていて、この構成が、本発明の特徴部である。特定の上向流案内面Ｆｔを除く残りの全ての上向流案内面Ｆｐは、下インナーケースＫ1 の周壁部１５の内周面１５ａと平行となっている。
【００２７】
また、図３に示されるように、インナーケースＫは、上記した下インナーケースＫ1 と、当該下インナーケースＫ1 の直上に配置されて、当該下インナーケースＫ1 の上面開口を閉塞すると共に、前記羽根車１２の積算回転数を表示する表示ユニット（図示せず）が内装する上インナーケースＫ2 とで構成される。図３に示されるように、上インナーケースＫ2 の周壁部３１の外周面には、当該周壁部３１の下端に達する板状の第１リブ３２と、当該周壁部３１の下端を所定長だけ超えて、下方に延出している第２リブ３３とが周方向に沿って所定の間隔をおいて軸方向に形成されている。第２リブ３３は、下インナーケースＫ1 の流出ノズルＮ2 の上面開口の平面形状に対応した略方形状をなしていて、下インナーケースＫ1 の上面開口に上インナーケースＫ2 の位置決め嵌合部３４を嵌合させることで積み重ねて、下インナーケースＫ1 の上面開口を閉塞すると、前記第２リブ３３の下方突出部３３ａは、下インナーケースＫ1 の流出ノズルＮ2 の上面開口の部分に嵌合されると共に、上インナーケースＫ2 の底壁部３５により下インナーケースＫ1 の上面開口は閉塞される。なお、図１において、４１は、下部ケース１のケース流入口２の部分に設けられたストレーナを示す。
【００２８】
なお、下インナーケースＫ1 の周壁部１５の上半部、及び上インナーケースＫ2 の第２リブ３３の部分が中空構造になっているのは、樹脂射出成形により成形する際において、冷却時の「ひけ」を防止して、表面が波打つのを防止するための樹脂射出成形に対応した構造であって、テーパー面状をした上向流案内面Ｆｔの存在に特徴を有する本発明には、直接関連しない構造である。
【００２９】
そして、下部ケース１のケース流入口２から上流側室５に流入した水流は、下インナーケースＫ1 の周壁部１５と、当該下部ケース１の下周壁部１ｂ（図１及び図４参照）との間において周方向（下インナーケースＫ1 の周壁部１５又は羽根車１２の接線方向）に沿って流れて、流入ノズルＮ1 の上記接線方向に近い本来のノズル経路を通って計量室Ｒ内に直接に流入する接線流Ｓ1 （図４参照）と、下インナーケースＫ1 の底壁部１６と下部ケース１の底壁部１ｃとの間を通った後に、流入ノズルＮ1 の下面に達する直前において、上記した接線流Ｓ1 に随伴されることで、上向流案内面Ｆｐ，Ｆｔに沿って上向きに流れた後に、当該接線流Ｓ1 と合流して計量室Ｒ内に間接的に流入する上向流Ｓ2 （図１参照）とが存在する。上向流Ｓ2 は、流体抵抗により接線流Ｓ1 に比較して圧力が低下されることで、流速も低下していることは、「従来の技術」の項目で述べた通りである。
【００３０】
そして、下部ケース１のケース流入口２から上流側室５に流入した水流の大部分は、接線流Ｓ1 となって、流入ノズルＮ1 の本来のノズル経路を通って、下インナーケースＫ1 の内部の計量室Ｒに直接に流入する。接線流Ｓ1 となって、流入ノズルＮ1 から計量室Ｒに流入される流量は、複数の流入ノズルＮ1 のうち、下部ケース１のケース流入口２に近いもの程、多い。一方、接線流Ｓ1 とならずに、下インナーケースＫ1 の底壁部１６と下部ケース１の底壁部１ｃとの間を通った水流は、流体抵抗により圧力が低下されることで、流速が低下されていて、複数の流入ノズルＮ1 のうち下部ケース１のケース流入口２から遠い位置の流入ノズルＮ1 の部分において、上向流案内面Ｆp ，Ｆt に案内されて上向流Ｓ2 となった後に、流入ノズルＮ1 を通過中の接線流Ｓ1 に随伴されて、下インナーケースＫ1 の計量室Ｒに流入される。ここで、複数の上向流案内面のうち、下部ケース１のケース流入口２から最も遠い（離れた）上向流案内面Ｆt は、上記したテーパー面に形成されているために、流入時における流体抵抗が小さくなって、計量室Ｒの内部にスムーズに流入される。
【実施例２】
【００３１】
図７に、本発明の実施例２の下インナーケースＫ1'が示されている。この下インナーケースＫ1'は、各流入ノズルＮ1 の奥部に設けられた全ての上向流案内面のうち、下部ケース１のケース流入口２から遠い（離れた）側の連続した複数の上向流案内面Ｆｔのみがテーパー状に形成され、しかも、そのテーパー面の傾斜角度は、下部ケース１のケース流入口２から最も離れた流入ノズルＮ1 から、当該ケース流入口２に近付くに従って、順次小さくなっている。上記構成は、上向流Ｓ2 は、各流入ノズルＮ1 のうち、下部ケース１のケース流入口２から離れている程、発生量が多いことに対応させたものである。
【００３２】
なお、図４及び図６は、下インナーケースＫ1 の底面図に対して下部ケース１の外周形状と接線流Ｓ1 の方向とを付加した変則図面であり、下インナーケースＫ1 と下部ケース１の下周壁部１ｂとの間を流れて、前記接線流Ｓ1 を生じさせる旋回流は、左旋回する。
【００３３】
また、実施例１，２において、上向流案内面Ｆｔの傾斜角度（θ）は、７．６°であるが、上向流Ｓ2 の流体抵抗を小さくして、当該上向流Ｓ2 を計量室Ｒにスムーズに流入させるという機能を考慮すると、５〜１５°が望ましい。傾斜角度（θ）が１５°を超えると、上向流Ｓ2 が本来の流れである接線流Ｓ1 を阻害して、流入ノズルＮ1 の部分の自然な水流が乱され、また、傾斜角度（θ）が５°よりも小さいと、上記した上向流案内面Ｆｔの本来の機能が奏されないからである。
【００３４】
また、実施例１，２では、いずれもテーパー状の上向流案内面Ｆt を含めて、全ての上向流案内面は、下インナーケースＫ1 の周壁部１５の内周面１５ａに対して寸法（Ｅ1)だけ内側( 当該下インナーケースＫ1 の中心側) に配置されていて、内側に配置されている分だけ、上向流Ｓ2 は、計量室Ｒに流入し易いが、図８に示されるように、テーパー状の上向流案内面Ｆt を含めて、全ての上向流案内面は、下インナーケースＫ1 の周壁部１５の内周面１５ａに対して寸法（Ｅ2)だけ外側に配置されることも可能である。
【００３５】
また、実施例１，２では、全ての上向流案内面のうち、特定の上向流案内面のみテーパー面状に形成されて、残りの上向流案内面は、下インナーケースの周壁部の内周面に対して平行に形成されているが、全ての上向流案内面をテーパー面状に形成することも可能である。
【００３６】
更に、本発明の特徴部には、直接に関連しない事項ではあるが、実施例１，２では、下インナーケースＫ1 の流出ノズルＮ2 の上面は、開口されていて、上インナーケースＫ2 の第２リブ３３の下方突出部３３ａの嵌合により閉塞される構成であるが、流出ノズルとして、上面が閉塞された貫通孔状に形成されていてもよい。
【符号の説明】
【００３７】
Ｃ：下インナーケースの中心
Ｆｐ：一般の上向流案内面
Ｆｔ：テーパー面状の上向流案内面
Ｋ：インナーケース
Ｋ1 ：下インナーケース
Ｋ2 ：上インナーケース
Ｌ1 ：上向流案内面の下端縁と下インナーケースの中心とを結ぶ長さ
Ｌ2 ：上向流案内面の上端縁と下インナーケースの中心とを結ぶ長さ
Ｎ1 ：流入ノズル
Ｎ2 ：流出ノズル
Ｓ1 ：接線流
Ｓ2 ：上向流
１：下部ケース
２：ケース流入口
１２：羽根車
１５：周壁部
１６：底壁部
１７：ノズル形成体
１８：上板部
１９：流入ノズルの左右両面（隣接する２つのノズル形成体の対向面）
２１：流入ノズルの上面
２２：ノズル開口
【要約】
【課題】
複箱式水道メータにおいて、下部ケースのケース流入口から遠い位置に配置された流入ノズルから計量室内に流入する速度の低下した非接線流である上向流の流体抵抗を小さくして、スムーズな流入を可能にすることである。
【解決手段】
各流入ノズルＮ1 は、隣接配置された２つのノズル形成体１７と、周壁部１５の高さ方向の中間部に形成された上板部１８とにより、上面２１と左右両面１９，１９との計３面により形成されて、下面が開口された形態であり、前記流入ノズルＮ1 の奥部の底壁部１６の露出により形成された面は、下部ケース１及び下インナーケースＫ1 の各底壁部１ｃ，１６の間を通って、当該流入ノズルＮ1 の部分において上向きに流れる上向流Ｓ2 の案内を行う上向流案内面として機能している複箱式水道メータであって、前記上向流案内面Ｆt は、その下端縁と下インナーケースＫ1 の中心Ｃとの長さが、その上端縁と下インナーケースＫ1 の中心Ｃとの長さよりも僅かに短いテーパー面に形成された構成とする。
【選択図】  図１【図１】
0005579948.tif 000002
【図２】
0005579948.tif 000003
【図３】
0005579948.tif 000004
【図４】
0005579948.tif 000005
【図５】
0005579948.tif 000006
【図６】
0005579948.tif 000007
【図７】
0005579948.tif 000008
【図８】
0005579948.tif 000009